(57)【要約】【課題】本発明は、放送番組で紹介される画面内容若しくはそれより詳しい情報を自動的に記録する放送番組の画面／情報の記録方法及び画面／情報記録システムを提供する。【解決手段】放送番組の提供側から放送信号に番組に関連する情報を組み込み、その情報及び関連する画面を記録させる指示信号と共に配信し、ＴＶ受像器２′、ビデオ記録装置５、アダプタ３が、情報及び画面記録の指示信号を受信すると、対応する情報及び関連する画面を内蔵メモリ２１，３１，５１に記録し、その後、記録した情報及び画面を表示装置に表示可能とした放送番組の画面／情報の記録方法及び画面／情報記録システムである。【選択図】　　　　図１
2004112388.tif 000002
【特許請求の範囲】
【請求項１】
放送番組の提供側から放送信号に特定画面を記録する指示信号を組み込んで送信され、前記放送信号及び前記指示信号を受信する装置が、当該画面記録の指示信号により特定画面を内蔵する記憶装置に記録し、記録した画面を表示装置に表示可能としたことを特徴とする放送番組の画面記録方法。
【請求項２】
放送番組の提供側から放送信号に特定情報及び当該情報を記録する指示信号を組み込んで送信され、前記放送信号及び前記指示信号を受信する装置が、当該情報記録の指示信号により特定情報を内蔵する記憶装置に記録し、記録した情報を表示装置に表示可能としたことを特徴とする放送番組の情報記録方法。
【請求項３】
放送番組の提供側から放送信号に特定情報と当該情報を記録する指示信号及び特定画面を記録する指示信号を組み込んで送信され、前記放送信号及び前記指示信号を受信する装置が、当該情報記録の指示信号及び当該画面記録の指示信号により特定情報及び特定画面を内蔵する記憶装置に記録し、記録した情報及び画面を表示装置に表示可能としたことを特徴とする放送番組の画面／情報記録方法。
【請求項４】
放送信号に特定画面を記録する指示信号を組み込んで送信する放送番組の提供側装置と、
前記放送信号及び前記指示信号を受信する受信部と、特定画面を記録する記憶部と、記録した画面を表示するために出力する出力部と、前記画面記録の指示信号によって特定画面を前記記憶部に記録すると共に、記録した画面を選択して出力部に出力させる制御部とを備える放送番組の受信側装置とを有することを特徴とする画面／情報記録システム。
【請求項５】
放送信号に特定情報及び当該情報を記録する指示信号を組み込んで送信する放送番組の提供側装置と、
前記放送信号及び前記指示信号を受信する受信部と、特定情報を記録する記憶部と、記録した情報を表示するために出力する出力部と、前記情報記録の指示信号によって特定情報を前記記憶部に記録すると共に、記録した情報を選択して出力部に出力させる制御部とを備える放送番組の受信側装置とを有することを特徴とする画面／情報記録システム。
【請求項６】
放送信号に特定情報と当該情報を記録する指示信号及び特定画面を記録する指示信号を組み込んで送信する放送番組の提供側装置と、
前記放送信号及び前記指示信号を受信する受信部と、特定情報及び特定画面を記録する記憶部と、記録した情報及び画面を表示するために出力する出力部と、前記情報記録の指示信号によって特定情報及び前記画面記録の指示信号によって特定画面を前記記憶部に記録すると共に、記録した情報及び画面を選択して出力部に出力させる制御部とを備える放送番組の受信側装置とを有することを特徴とする画面／情報記録システム。
【請求項７】
放送番組の受信側装置が、ＴＶ受像器に接続するアダプタで構成されていることを特徴とする請求項４乃至６のいずれか記載の画面／情報記録システム。
【請求項８】
放送番組の受信側装置が、ＴＶ受像器内に画面／情報記録部として設けられていることを特徴とする請求項４乃至６のいずれか記載の画面／情報記録システム。
【請求項９】
放送番組の受信側装置が、ビデオ記録装置内に画面／情報記録部として設けられていることを特徴とする請求項４乃至６のいずれか記載の画面／情報記録システム。
【請求項１０】
記録した画面又は／及び情報を印刷する装置として、ファクシミリ装置を用いたことを特徴とする請求項４乃至９のいずれか記載の画面／情報記録システム。
【請求項１１】
放送番組がテレビショッピングであり、特定情報がショッピング対象商品の仕様であることを特徴とする請求項５又は６記載の画面／情報記録システム。
【請求項１２】
放送番組が料理番組であり、特定情報が料理レシピであることを特徴とする請求項５又は６記載の画面／情報記録システム。
【請求項１３】
放送番組が防災番組であり、特定情報が防災情報であることを特徴とする請求項５又は６記載の画面／情報記録システム。
【請求項１４】
特定画面が放送番組における主要画面であり、特定情報が当該画面に関連する詳細情報であることを特徴とする請求項６記載の画面／情報記録システム。
【発明の詳細な説明】
【０００１】
【発明の属する技術分野】
本発明は、放送画面及び関連する情報の記録方法に係り、特に、放送番組で提供される画面／情報等を容易に記録できる放送番組の画面／情報の記録方法及び画面／情報記録システムに関する。
【０００２】
【従来の技術】
従来は、アナログテレビ（ＴＶ）放送、デジタルＴＶ放送、衛星放送等で提供される番組は、ビデオデッキを用いてビデオテープに録音するか、ＤＶＤ（Ｄｉｇｉｔａｌ　Ｖｅｒｓａｔｉｌｅ　Ｄｉｓｋ）録画装置を用いてＤＶＤ−ＲＡＭ／ＤＶＤ−ＲＷ等に録画するか、また、パーソナルコンピュータ（ＰＣ）を用いてハードディスク（ＨＤ）に録画するのが一般的である。
【０００３】
尚、放送番組の録画方法としては、以下の特許文献１に示す「映像信号処理装置および映像表示装置」（出願人：ソニー株式会社、発明者：溝渕あゆみ他）［平成１４年（２００２年）２月８日公開］があった。
当該公知文献発明は、リモコンから画面メモの指示を受けると、キャプチャリング部が映像を静止画像として取り込み、子画面に表示するというものである。
【０００４】
【特許文献１】
特開２００２−４４５４４号公報　（第７頁〜第１６頁、図３，図６）
【０００５】
【発明が解決しようとする課題】
しかしながら、上記従来の放送番組の録画方法では、必要な画面を瞬時に録画することができず、ＴＶを見ている者として非常に不便であるとの問題点があった。
具体的には、料理番組を見ていた場合に、ＴＶでレシピが短い時間紹介されるが、その短い時間で紹介されたレシピを瞬時に録画することが難しいものとなっていた。
【０００６】
また、ＴＶショッピングで商品の紹介があるが、やはり短い時間内に早口で商品の説明が為されるため、それを録画するのが難しいものとなっていた。
また、災害等の情報をＴＶで提供する場合は、ＴＶ画面の上下にテロップを表示して災害情報をＴＶ視聴者に知らせるものとなっていたが、文字が流れて行くため見ずらいものとなっていた。
【０００７】
また、放送番組は、特定時間枠で放送されるものであるから、その番組の要約、ポイント等を容易に把握できるものではなかった。逆に、放送番組は定められた時間枠内となるため、登場人物の詳しい情報等をその時間内でＴＶ視聴者に伝達できないものとなっていた。
【０００８】
本発明は上記実情に鑑みて為されたもので、放送番組で紹介される画面内容若しくはそれより詳しい情報を自動的に記録する放送番組の画面／情報の記録方法及び画面／情報記録システムを提供することを目的とする。
【０００９】
また、本発明の別の目的は、放送番組の要点又は放送番組の詳細をＴＶ視聴者に知らせることができる放送番組の画面／情報の記録方法及び画面／情報記録システムを提供する。
【００１０】
【課題を解決するための手段】
本発明は、放送番組の画面記録方法において、放送番組の提供側から放送信号に特定画面を記録する指示信号を組み込んで送信され、放送信号及び指示信号を受信する装置が、当該画面記録の指示信号により特定画面を内蔵する記憶装置に記録し、記録した画面を表示装置に表示可能としたものであり、指示信号に従って特定画面が自動的に記録できる。
【００１１】
本発明は、放送番組の情報記録方法において、放送番組の提供側から放送信号に特定情報及び当該情報を記録する指示信号を組み込んで送信され、放送信号及び指示信号を受信する装置が、当該情報記録の指示信号により特定情報を内蔵する記憶装置に記録し、記録した情報を表示装置に表示可能としたものであり、指示信号に従って特定情報が自動的に記録できる。
【００１２】
本発明は、放送番組の画面／情報記録方法において、放送番組の提供側から放送信号に特定情報と当該情報を記録する指示信号及び特定画面を記録する指示信号を組み込んで送信され、放送信号及び指示信号を受信する装置が、当該情報記録の指示信号及び当該画面記録の指示信号により特定情報及び特定画面を内蔵する記憶装置に記録し、記録した情報及び画面を表示装置に表示可能としたものであり、指示信号に従って特定情報及び特定画面が自動的に記録できる。
【００１３】
本発明は、画面／情報記録システムにおいて、放送信号に特定画面を記録する指示信号を組み込んで送信する放送番組の提供側装置と、放送信号及び指示信号を受信する受信部、特定画面を記録する記憶部、記録した画面を表示するために出力する出力部、画面記録の指示信号によって特定画面を記憶部に記録すると共に、記録した画面を選択して出力部に出力させる制御部を備える放送番組の受信側装置とを有するものであり、指示信号に従って特定画面が自動的に記録できる。
【００１４】
本発明は、画面／情報記録システムにおいて、放送信号に特定情報及び当該情報を記録する指示信号を組み込んで送信する放送番組の提供側装置と、放送信号及び指示信号を受信する受信部、特定情報を記録する記憶部、記録した情報を表示するために出力する出力部、情報記録の指示信号によって特定情報を記憶部に記録すると共に、記録した情報を選択して出力部に出力させる制御部を備える放送番組の受信側装置とを有するものであり、指示信号に従って特定情報が自動的に記録できる。
【００１５】
本発明は、画面／情報記録システムにおいて、放送信号に特定情報と当該情報を記録する指示信号及び特定画面を記録する指示信号を組み込んで送信する放送番組の提供側装置と、放送信号及び指示信号を受信する受信部、特定情報及び特定画面を記録する記憶部、記録した情報及び画面を表示するために出力する出力部、情報記録の指示信号によって特定情報及び画面記録の指示信号によって特定画面を記憶部に記録すると共に、記録した情報及び画面を選択して出力部に出力させる制御部を備える放送番組の受信側装置とを有するものであり、指示信号に従って特定情報及び特定画面が自動的に記録できる。
【００１６】
【発明の実施の形態】
本発明の実施の形態について図面を参照しながら説明する。
本発明の実施の形態に係る第１の放送画面の記録方法は、放送番組の提供側が放送信号に画面録画の指示信号を特定の画面に対応付けて配信し、放送信号を受信するＴＶ受像器、ビデオデッキ等の記録装置、ＴＶ受像器に接続するアダプタが、画面録画の指示信号を受信すると、対応する画面を内蔵する半導体記憶装置に記録し、その後、記録した画面をＴＶ画面又は他の表示装置に表示可能としたものである。これにより、ＴＶ視聴者は、記録の操作を行うことなく、視聴者にとって有用な画面を自動的に録画できるものである。
【００１７】
また、本発明の実施の形態に係る第２の放送情報の記録方法は、放送番組の提供側から放送信号に番組に関連する情報又は緊急情報を組み込み、更にこれら情報を記録させる指示信号と共に配信し、ＴＶ受像器、記録装置、アダプタが、情報記録の指示信号を受信すると、対応する情報を内蔵する半導体装置に記録し、その後、記録した情報をＴＶ画面又は他の表示装置に表示可能としたものである。これにより、ＴＶ視聴者は、記録の操作を行うことなく、視聴者にとって有用な情報を自動的に記録できるものである。
【００１８】
また、本発明の実施の形態に係る第３の放送情報／画面の記録方法は、放送番組の提供側から放送信号に番組に関連する情報を組み込み、その情報及び関連する画面を記録させる指示信号と共に配信し、ＴＶ受像器、記録装置、アダプタが、情報及び画面記録の指示信号を受信すると、対応する情報及び関連する画面を内蔵する半導体装置に記録し、その後、記録した情報及び画面をＴＶ画面又は他の表示装置に表示可能としたものである。これにより、ＴＶ視聴者は、記録の操作を行うことなく、視聴者にとって有用な情報及び画面を自動的に記録できるものである。
【００１９】
次に、本発明の実施の形態に係る第１の画面／情報記録システムの構成について図１を参照しながら説明する。図１は、本発明の実施の形態に係る第１の画面／情報記録システムの構成ブロック図である。
本発明の実施の形態に係る画面／情報記録システム（本システム）は、図１に示すように、放送信号を送信する放送局送信機１と、放送信号を受信するＴＶ受像器２と、そのＴＶ受像器２に接続して画面／情報を記録するアダプタ３と、そのアダプタ３に接続し、記録した画面／情報を印刷する印刷機４とを有している。
【００２０】
図１における各部を具体的に説明する。
放送送信機１は、放送番組に必要な信号等を組み込んでＴＶ受像器２に送信する。尚、放送送信機１で、送信する番組に必要な信号等を組み込む処理を行うようにしているが、送信機の前段階での番組制作装置等で当該組み込み処理を行うようにしてもよい。つまり、本システムの放送送信機１は、番組制作装置等の構成も含むものとなっている。
【００２１】
画面を記録する場合には、送信する番組に、予め記録させる画面を特定し、当該特定した画面を録画する指示信号が組み込まれている。
また、情報を記録する場合には、送信する番組に、予め記録させる情報及びその情報の記録指示信号が組み込まれている。
また、画面及び情報の双方を記録する場合には、送信する番組に、予め記録させる情報及びその情報及び関連する画面の記録指示信号が組み込まれている。
【００２２】
ＴＶ（テレビ）受像器２は、放送信号等を受信する受信部と、受信した放送信号を再生して表示する表示部とを備えている。
また、ＴＶ受像器２は、受信した放送信号等をアダプタ３に出力する。
【００２３】
アダプタ３は、半導体装置の記憶部（内蔵メモリ）３１を備え、ＴＶ受像器２から出力される放送信号等の中で記録指示信号によって特定される画面又は／及び情報を当該内蔵メモリ３１に記録する。
また、アダプタ３は、放送信号に組み込まれた記録指示信号を読み取り、その記録指示信号に基づいて特定された画面又は／及び特定の情報を内蔵メモリ３１に記録させる制御部を備えている。制御部における制御は、内蔵するプログラムによって実現される。
更に、アダプタ３の制御部は、内蔵メモリ３１に記録された画面又は／及び情報をＴＶ受像器２の表示部に表示させることができるようになっている。
また、アダプタ３の制御部は、内蔵メモリ３１に記録された画面又は／及び情報を印刷するために印刷機４に出力する。
【００２４】
印刷機４は、アダプタ３から出力された画面又は／及び情報を印刷する。
尚、第１のシステムでは、印刷機４としてファクシミリ装置を想定している。この場合、アダプタ３は、モジュラージャック差込口とファクシミリ装置とを結ぶコードに接続しており、印刷が必要になれば、ファクシミリ装置を呼び出して画像出力するものである。
また、印刷機４は、通常のプリンタ、専用のプリンタであってもよい。
【００２５】
尚、アダプタ３をパーソナルコンピュータ（ＰＣ）によって実現し、印刷機４をＰＣに接続するプリンタで実現してもよい。また、ＰＣによってＴＶ受像器２とアダプタ３の両方の機能を実現させるようにしてもよい。
【００２６】
第１のシステムにおける動作は、放送送信機１から放送番組に関する放送信号及び特定画面の記録を指示する指示信号をＴＶ受像器２に送信する。ここで、指示信号としては、特定画面の代わりに、特定情報若しくは特定情報及び対応する画面を記録する信号であってもよい。尚、特定情報の場合は、放送信号と共に特定情報も送信する必要がある。
【００２７】
放送信号等を受信したＴＶ受像器２は、放送信号から放送番組を再生して表示部に表示出力し、更に放送信号等をアダプタ３に出力する。
アダプタ３では、画面／情報を記録する指示信号を読み取り、特定画面又は特定情報若しくは特定画面と特定情報の双方を内蔵メモリ３１に記憶する。
【００２８】
また、アダプタ３を操作することで、内蔵メモリ３１に記憶された画面／情報をＴＶ受像器２の表示部に表示させたり、印刷機４に印刷出力させることができる。
尚、具体的な画像、情報の記録処理については、後述する。
【００２９】
次に、本発明の実施の形態に係る第２の画面／情報記録システムの構成について図２を参照しながら説明する。図２は、本発明の実施の形態に係る第２の画面／情報記録システムの構成ブロック図である。
本発明の実施の形態に係る第２の画面／情報記録システム（第２のシステム）は、図２に示すように、放送信号を送信する放送局送信機１と、放送信号を受信するＴＶ受像器２′と、そのＴＶ受像器２′に接続し、記録した画面／情報を印刷する印刷機４とを有している。
【００３０】
図２における各部は、基本的には図１のものと同様であるが、ＴＶ受像器２′の構成が少し異なっている。ここでは、ＴＶ受像器２′について詳しく説明する。
ＴＶ受像器２′は、内部に画面／情報記録部２０を備え、その画面／情報記録部２０内に、内蔵メモリ２１を備えている。
【００３１】
ＴＶ受像器２′は、放送信号等を受信すると、表示部に受信した放送信号に基づいて放送番組を表示し、その放送信号等を画面／情報記録部２０に出力する。画面／情報記録部２０は、放送信号等の中で記録指示信号によって特定される画面又は情報若しくは画面及び情報を当該内蔵メモリ２１に記録する処理を行う。
【００３２】
更に、画面／情報記録部２０は、内蔵メモリ２１に記録された画面又は／及び情報をＴＶ受像器２′の表示部に表示させることができるようになっている。
また、画面／情報記録部２０は、内蔵メモリ２１に記録された画面又は／及び情報を印刷するために印刷機４に出力する。
【００３３】
次に、本発明の実施の形態に係る第３の画面／情報記録システムの構成について図３を参照しながら説明する。図３は、本発明の実施の形態に係る第３の画面／情報記録システムの構成ブロック図である。
本発明の実施の形態に係る第３の画面／情報記録システム（第３のシステム）は、図３に示すように、放送信号を送信する放送局送信機１と、放送信号を受信して放送された番組を録画するビデオ記録装置５と、ビデオ記録装置５から出力される画像信号を受信して表示するＴＶ受像器２と、そのビデオ記録装置５に接続し、記録した画面、情報を印刷する印刷機４とを有している。
【００３４】
図３における各部は、基本的には図１のものと同様であるが、新たにビデオ記録装置５が設けられている。このビデオ記録装置５について詳しく説明する。
ビデオ記録装置５は、内部に画面／情報記録部５０を備えており、更に画面／情報記録部５０内部には、内蔵メモリ５１を備えている。
ここで、ビデオ記録装置５は、具体的には、ビデオデッキ、ＤＶＤ記録装置、ＨＤ装置等が考えられる。
図３における画面／情報記録部５０の構成及び動作は、図１におけるアダプタ３、図２における画面／情報記録部２０の構成及び動作とほぼ同様である。
【００３５】
次に、第１のシステムにおけるアダプタ３、第２のシステムにおける画面／情報記録部２０及び第３のシステムにおける画面／情報記録部５０の具体的構成について図４を参照しながら説明する。図４は、本発明の実施の形態に係る画面／情報記録部（アダプタ）の概略構成ブロック図である。
本発明の実施の形態に係る画面／情報記録部（アダプタ）は、図４に示すように、入力部１１と、制御部１２と、内蔵メモリ１３と、出力部１４と、操作部１５とを備えている。
【００３６】
図４の各部を具体的に説明する。
入力部１１は、外部から放送信号等（画面／情報の記録の指示信号、特定の情報の内容となるデータ信号を含む）を受信し、制御部１２に出力する。
【００３７】
制御部１２は、入力部１１からの放送信号等を入力し、画面／情報の記録の指示信号が含まれるか否かを検出し、当該指示信号が含まれると、対応する画面又は／及び情報を内蔵メモリ１３に記憶する。
また、制御部１２は、操作部１５からの操作によって内蔵メモリ１３に記録された画面又は／及び情報を読み出して出力部１４に出力する。
尚、上記指示信号の検出、画面／情報の記録、画面／情報の出力等の処理は、制御部１２内のプログラムによって実現される。
【００３８】
内蔵メモリ１３は、半導体記憶装置を用いて実現されており、画面／情報の記録の指示信号で特定される画面／情報が記録される。
尚、内蔵メモリ１３に半導体記憶装置を用いているが、それ以外の磁気ディスク、光磁気ディスク、光ディスク等による記録媒体であってもよい。
【００３９】
出力部１４は、制御部１２で選択された画面／情報を外部に出力する。
また、出力部１４にＴＶ受像器２が接続する場合には、入力部１１から入力された放送信号等は、制御部１２を介して出力部１４に出力され、ＴＶ受像器２に出力される。
操作部１５は、内蔵メモリ１３に記録された画面／情報を表示・印刷するための指示を入力する。
【００４０】
次に、第１のシステムにおけるアダプタ３、第２のシステムにおける画面／情報記録部２０、第３のシステムにおける画面／情報記録部５０の制御部における動作について図５〜図７を参照しながら説明する。図５は、本発明の実施の形態に係る画面／情報記録部（アダプタ）での画面記録の処理を示すフローチャートであり、図６は、本発明の実施の形態に係る画面／情報記録部（アダプタ）での情報記録の処理を示すフローチャートであり、図７は、本発明の実施の形態に係る画面／情報記録部（アダプタ）での情報及び画面記録の処理を示すフローチャートである。
【００４１】
図５に示すように、画面／情報記録部（アダプタ）での画面記録の処理は制御部１２で実行されるもので、受信した放送信号等の信号中に、画面記録の指示信号を受信したと判断すると（Ｓ１１）、当該指示信号で特定される画面を内蔵メモリ１３に記録し（Ｓ１２）、処理を終了する。
【００４２】
また、図６に示すように、画面／情報記録部（アダプタ）での情報記録の処理は制御部１２で実行されるもので、受信した放送信号等の信号中に、情報記録の指示信号を受信したと判断すると（Ｓ２１）、当該指示信号で特定される情報を内蔵メモリ１３に記録し（Ｓ２２）、処理を終了する。
【００４３】
また、図７に示すように、画面／情報記録部（アダプタ）での情報及び画面記録の処理は制御部１２で実行されるもので、受信した放送信号等の信号中に、情報及び画面記録の指示信号を受信したと判断すると（Ｓ３１）、当該指示信号で特定される情報及び画面を内蔵メモリ１３に記録し（Ｓ３２）、処理を終了する。
【００４４】
このように、第１〜３のシステムにおける画面又は／及び情報を放送信号に組み込まれた指示信号によって記録する手法及びシステムは、以下に説明するものに適用することができる。
【００４５】
まず、第１に、テレビショッピングの放送番組について、ショッピング対象の商品をＴＶ画面上に表示させている状況で、当該商品を最もよく表示している画面を指示信号で記録するようにすれば、後からテレビショッピングの商品の概要を容易に知ることができ、商品購入の利便性を高めることができるものである。
【００４６】
更に、テレビショッピングで、画面だけでなく、商品の仕様等を情報として番組制作元から提供すれば、テレビショッピングを見ている人にとって商品のより詳細な仕様を知ることができ、商品購入の利便性を更に高めることができるものである。
【００４７】
また、第２に、料理番組について、料理の各プロセスを最もよく表示している画面を指示信号で記録するようにすれば、料理のレシピを細かくメモする必要がなくなり、料理番組を見ている人にとって料理作成の利便性を高めることができるものである。
【００４８】
また、料理番組のレシピを情報として番組制作元から提供すれば、料理番組を見ている人にとって料理のレシピの詳細を知ることができ、料理作成の利便性を更に高めることができるものである。
【００４９】
また、第３に、防災情報を提供している画面でも、防災情報に関する詳細な情報を番組制作元から提供されれば、防災情報を見ている人にとってより詳細な情報を得ることができるものである。
【００５０】
また、第４に、放送番組がドラマである場合に、当該ドラマの主要画面及びその説明を画面及び情報記録の指示信号で複数記録可能となるよう番組制作元から提供されれば、当該ドラマの要約を取得することができ、そのドラマを見ていない人にも短時間でそのドラマの内容を知ることができるものである。
【００５１】
また、第５に、放送番組について、その番組の詳細情報として、その背景、登場人物の人物像を具体的に記述した情報を情報記録の指示信号で記録可能となるよう案組制作元から提供されれば、当該番組に関する視聴者の参加意識が高まり、番組の視聴率を向上させることができるものである。
例えば、提供される情報にクイズを含めて、当該クイズに電子メール等で回答してもらうようにすれば、番組への視聴者の参加意識を向上させることができる。
【００５２】
また、第６に、上記機能に加えて、画面／情報記録部（アダプタ）に対して表示されたＴＶ画面のキャプチャーを行う手動で行うリモートコントローラ（リモコン）を設け、リモコンからの赤外線の信号によって見ている画面を記録するようにしてもよい。
【００５３】
放送番組に組み込まれた画面／情報を記録させる指示信号による画面／情報の記録処理は、本人の了承なしに行うことはできないので、このような処理を実現するためには、番組毎、或いは特定の番組のグループ毎にユーザ登録が必要となる。ユーザ登録は、インターネットを利用したものでもよいし、郵便又はファクシミリ装置を利用したものでもよい。
【００５４】
そのユーザ登録によって、ユーザＩＤ（識別子）が番組制作元から付与されると、そのユーザＩＤを画面／情報記録部（アダプタ）の制御部に取り込むようにし、受信した指示信号が当該ユーザ宛のものであるか否かを判断し、そのユーザ宛のものであれば、特定の情報（特典、会員向けお知らせ等）を取り出せるようにしても構わない。
【００５５】
第１〜３のシステムによれば、放送番組の特定の画面又は／及び情報を放送信号に組み込まれた画面又は／及び情報記録の指示信号で記録するようにしているので、視聴者は記録の操作を行うことなしに、必要な画面又は／及び情報を簡易に取得できる効果がある。
これにより、放送される画面等を急いでメモしたり、急いで録画する必要がなくなるものである。
【００５６】
【発明の効果】
本発明によれば、放送番組の提供側から放送信号に特定画面を記録する指示信号を組み込んで送信され、放送信号及び指示信号を受信する装置が、当該画面記録の指示信号により特定画面を内蔵する記憶装置に記録し、記録した画面を表示装置に表示可能とした放送番組の画面記録方法としているので、指示信号に従って特定画面が自動的に記録できる効果がある。
【００５７】
本発明によれば、放送番組の提供側から放送信号に特定情報及び当該情報を記録する指示信号を組み込んで送信され、放送信号及び指示信号を受信する装置が、当該情報記録の指示信号により特定情報を内蔵する記憶装置に記録し、記録した情報を表示装置に表示可能とした放送番組の情報記録方法としているので、指示信号に従って特定情報が自動的に記録できる効果がある。
【００５８】
本発明によれば、放送番組の提供側から放送信号に特定情報と当該情報を記録する指示信号及び特定画面を記録する指示信号を組み込んで送信され、放送信号及び指示信号を受信する装置が、当該情報記録の指示信号及び当該画面記録の指示信号により特定情報及び特定画面を内蔵する記憶装置に記録し、記録した情報及び画面を表示装置に表示可能とした放送番組の画面／情報記録方法としているので、指示信号に従って特定情報及び特定画面が自動的に記録できる効果がある。
【００５９】
本発明によれば、放送信号に特定画面を記録する指示信号を組み込んで送信する放送番組の提供側装置と、放送信号及び指示信号を受信する受信部、特定画面を記録する記憶部、記録した画面を表示するために出力する出力部、画面記録の指示信号によって特定画面を記憶部に記録すると共に、記録した画面を選択して出力部に出力させる制御部を備える放送番組の受信側装置とを有する画面／情報記録システムとしているので、指示信号に従って特定画面が自動的に記録できる効果がある。
【００６０】
本発明によれば、放送信号に特定情報及び当該情報を記録する指示信号を組み込んで送信する放送番組の提供側装置と、放送信号及び指示信号を受信する受信部、特定情報を記録する記憶部、記録した情報を表示するために出力する出力部、情報記録の指示信号によって特定情報を記憶部に記録すると共に、記録した情報を選択して出力部に出力させる制御部を備える放送番組の受信側装置とを有する画面／情報記録システムとしているので、指示信号に従って特定情報が自動的に記録できる効果がある。
【００６１】
本発明によれば、放送信号に特定情報と当該情報を記録する指示信号及び特定画面を記録する指示信号を組み込んで送信する放送番組の提供側装置と、放送信号及び指示信号を受信する受信部、特定情報及び特定画面を記録する記憶部、記録した情報及び画面を表示するために出力する出力部、情報記録の指示信号によって特定情報及び画面記録の指示信号によって特定画面を記憶部に記録すると共に、記録した情報及び画面を選択して出力部に出力させる制御部を備える放送番組の受信側装置とを有する画面／情報記録システムとしているので、指示信号に従って特定情報及び特定画面が自動的に記録できる効果がある。
【図面の簡単な説明】
【図１】発明の実施の形態に係る第１の画面／情報記録システムの構成ブロック図である。
【図２】発明の実施の形態に係る第２の画面／情報記録システムの構成ブロック図である。
【図３】発明の実施の形態に係る第３の画面／情報記録システムの構成ブロック図である。
【図４】発明の実施の形態に係る画面／情報記録部（アダプタ）の概略構成ブロック図である。
【図５】本発明の実施の形態に係る画面／情報記録部（アダプタ）での画面記録の処理を示すフローチャートである。
【図６】本発明の実施の形態に係る画面／情報記録部（アダプタ）での情報記録の処理を示すフローチャートである。
【図７】発明の実施の形態に係る画面／情報記録部（アダプタ）での情報及び画面記録の処理を示すフローチャートである。
【符号の説明】
１…放送送信機、　２…ＴＶ受像器、　３…アダプタ、　４…印刷機、　５…ビデオ記録装置、　１１…入力部、　１２…制御部、　１３…内蔵メモリ、　１４…出力部、　１５…操作部、　２０，５０…画面／情報記録部、　２１，３１，５１…内蔵メモリ
【図１】
2004112388.tif 000003
【図２】
2004112388.tif 000004
【図３】
2004112388.tif 000005
【図４】
2004112388.tif 000006
【図５】
2004112388.tif 000007
【図６】
2004112388.tif 000008
【図７】
2004112388.tif 000009